(57)【要約】【課題】操作ボタンの操作からグラフィック描画までのユーザーが体感する時間を短くできるグラフィック描画システムを提供することを目的とする。【解決手段】グラフィック描画装置の制御部１０は、リモコン１のタッチセンサ３４により一つの操作ボタンに触れていることを検知した情報の送信をリモコン１から受けた場合、当該操作ボタンに対応する画像について裏バッファ１１での描画を開始させ、その後、リモコン１の押し下げ検知部３５により当該操作ボタンが押されたことを検知する情報の送信をリモコン１から受けが場合、当該裏バッファにおいて描画していた画像をフレームバッファ１２に転送させ表示部で表示させる制御を行うことで上記課題を解決する。【選択図】図３
2008261986.tif 000002
【特許請求の範囲】
【請求項１】
グラフィック描画装置と、当該グラフィック描画装置に操作内容を送信可能なリモコンとを備えるグラフィック描画システムにおいて、
前記グラフィック描画装置は、制御部と、裏バッファと、フレームバッファと、少なくとも当該フレームバッファにある描画された画像を表示する表示部を備え、
前記リモコンは、複数の操作ボタンと、操作ボタンごとに当該操作ボタンに触れていることを検知するタッチセンサと、操作ボタンごとに当該操作ボタンが押されたことを検知する押し下げ検知部とを有し、
前記制御部は、前記リモコンの前記タッチセンサにより一つの操作ボタンに触れていることを検知した情報の送信を前記リモコンから受けた場合、当該操作ボタンに対応する画像について前記裏バッファでの描画を開始させ、その後、前記リモコンの前記押し下げ検知部により当該操作ボタンが押されたことを検知する情報の送信を前記リモコンから受けが場合、前記裏バッファにおいて前記描画の開始により描画した画像を前記フレームバッファに転送させ前記表示部で表示させる制御を行うことを特徴とするグラフィック描画システム。
【請求項２】
請求項１に記載のグラフィック描画システムにおいて、
前記制御部は、前記リモコンの前記タッチセンサにより一つの操作ボタンに触れていることを検知した情報の送信を前記リモコンから受けた場合、当該操作ボタンに対応する画像について前記裏バッファでの描画を開始させ、その後、前記リモコンの前記タッチセンサにより当該操作ボタンに触れなくなったことを検知した情報の送信を前記リモコンから受けた場合、前記開始していた裏バッファでの描画をキャンセルする制御を行うことを特徴とするグラフィック描画システム。
【請求項３】
グラフィック描画装置と、当該グラフィック描画装置に操作内容を送信可能なリモコンとを備えるグラフィック描画システムにおいて、
前記グラフィック描画装置は、制御部と、裏バッファと、フレームバッファと、少なくとも当該フレームバッファにある描画された画像を表示する表示部を備え、
前記リモコンは、複数の操作ボタンと、操作ボタンごとに当該操作ボタンに触れていることを検知するタッチセンサと、操作ボタンごとに当該操作ボタンが押されたことを検知する押し下げ検知部とを有し、
前記制御部は、前記リモコンの前記タッチセンサにより二以上の操作ボタンに触れていることを検知した情報の送信を前記リモコンから受けた場合、当該操作ボタンに対応するすべての画像について前記裏バッファでの描画を開始させ、その後、前記リモコンの前記押し下げ検知部により前記触れていることを検知した二以上の操作ボタンのうちの一つの操作ボタンが押されたことを検知する情報の送信を前記リモコンから受けが場合、当該押されたことを検知した一つの操作ボタンに対応する裏バッファにおいて前記描画の開始により描画した画像を前記フレームバッファに転送させ前記表示部で表示させる制御を行うことを特徴とするグラフィック描画システム。
【請求項４】
請求項３に記載のグラフィック描画システムにおいて、
前記制御部は、前記リモコンの前記タッチセンサにより二以上の操作ボタンに触れていることを検知する情報の送信を前記リモコンから受けた場合、当該操作ボタンに対応するすべての画像について前記裏バッファでの描画を開始させ、その後、前記リモコンの前記タッチセンサにより前記触れていることを検知した二以上の操作ボタンのうちのいずれか一以上の操作ボタンに触れなくなったことを検知した情報の送信を前記リモコンから受けた場合、当該触れなくなったことを検知したすべての操作ボタンに対応する前記開始していた裏バッファでの描画をキャンセルする制御を行うことを特徴とするグラフィック描画システム。
【発明の詳細な説明】
【技術分野】
【０００１】
本発明は、グラフィック描画システムに関し、特に、操作ボタンの操作からグラフィック描画までのユーザーが体感する時間を短くできるグラフィック描画システムに関する。
【背景技術】
【０００２】
現在、一般的に利用されているリモコンでは、ユーザーがリモコンのボタンを押したことにより動作指示が機器に送信され、機器の動作が開始される。デジタルテレビに代表される、グラフィック表示とリモコンなどによるユーザーインターフェースを搭載した機器では、その表現力の向上を目的として大画面化、グラフィックの高解像度化、多色化などの高機能化が進んでいる。
【０００３】
一方、特許文献１では、タッチセンサ付きリモコンを利用して、実際にボタンが押される前に操作ガイドを表示する技術が提案されている。
【特許文献１】特開２００５−３２８３７９号公報
【発明の開示】
【発明が解決しようとする課題】
【０００４】
しかし、機器の処理速度はコストやハードウェア構成などの制約により性能の向上に限界があるため、その高機能化と引き替えにグラフィックの描画には時間がかかるようになってきている。そのため、ユーザーは何か操作を行う度にそのグラフィック描画時間の遅さからストレスを感じることとなる。
【０００５】
描画速度が遅いことに関する根本的な対策はハードウェアの基本性能を向上することであるが、常に性能を向上し続けることができるＰＣならともかく、デジタルテレビなどの組み込み機器ではそのハードウェアリソースが制限されているため性能の向上は容易ではない。
【０００６】
また、タッチセンサ付きリモコンを利用して操作ガイドを表示する特許文献１に記載の発明では、ユーザーの操作の負担を減らすことはできるが、グラフィック描画速度の問題を改善することはできない。
【０００７】
本発明は、上述のごとき実情に鑑みてなされたものであり、操作ボタンの操作からグラフィック描画までのユーザーが体感する時間を短くできるグラフィック描画システムを提供することを目的とする。
【課題を解決するための手段】
【０００８】
上記目的を達成するため、本発明のグラフィック描画システムは、グラフィック描画装置と、当該グラフィック描画装置に操作内容を送信可能なリモコンとを備えるグラフィック描画システムにおいて、前記グラフィック描画装置は、制御部と、裏バッファと、フレームバッファと、少なくとも当該フレームバッファにある描画された画像を表示する表示部を備え、前記リモコンは、複数の操作ボタンと、操作ボタンごとに当該操作ボタンに触れていることを検知するタッチセンサと、操作ボタンごとに当該操作ボタンが押されたことを検知する押し下げ検知部とを有し、前記制御部は、前記リモコンの前記タッチセンサにより一つの操作ボタンに触れていることを検知した情報の送信を前記リモコンから受けた場合、当該操作ボタンに対応する画像について前記裏バッファでの描画を開始させ、その後、前記リモコンの前記押し下げ検知部により当該操作ボタンが押されたことを検知する情報の送信を前記リモコンから受けが場合、前記裏バッファにおいて前記描画の開始により描画した画像を前記フレームバッファに転送させ前記表示部で表示させる制御を行うことを特徴とする。さらに本発明のグラフィック描画システムは、前記制御部は、前記リモコンの前記タッチセンサにより一つの操作ボタンに触れていることを検知した情報の送信を前記リモコンから受けた場合、当該操作ボタンに対応する画像について前記裏バッファでの描画を開始させ、その後、前記リモコンの前記タッチセンサにより当該操作ボタンに触れなくなったことを検知した情報の送信を前記リモコンから受けた場合、前記開始していた裏バッファでの描画をキャンセルする制御を行うことを特徴とする。
【０００９】
また、本発明のグラフィック描画システムは、グラフィック描画装置と、当該グラフィック描画装置に操作内容を送信可能なリモコンとを備えるグラフィック描画システムにおいて、前記グラフィック描画装置は、制御部と、裏バッファと、フレームバッファと、少なくとも当該フレームバッファにある描画された画像を表示する表示部を備え、前記リモコンは、複数の操作ボタンと、操作ボタンごとに当該操作ボタンに触れていることを検知するタッチセンサと、操作ボタンごとに当該操作ボタンが押されたことを検知する押し下げ検知部とを有し、前記制御部は、前記リモコンの前記タッチセンサにより二以上の操作ボタンに触れていることを検知した情報の送信を前記リモコンから受けた場合、当該操作ボタンに対応するすべての画像について前記裏バッファでの描画を開始させ、その後、前記リモコンの前記押し下げ検知部により前記触れていることを検知した二以上の操作ボタンのうちの一つの操作ボタンが押されたことを検知する情報の送信を前記リモコンから受けが場合、当該押されたことを検知した一つの操作ボタンに対応する裏バッファにおいて前記描画の開始により描画した画像を前記フレームバッファに転送させ前記表示部で表示させる制御を行うことを特徴とする。さらに本発明のグラフィック描画システムは、前記制御部は、前記リモコンの前記タッチセンサにより二以上の操作ボタンに触れていることを検知する情報の送信を前記リモコンから受けた場合、当該操作ボタンに対応するすべての画像について前記裏バッファでの描画を開始させ、その後、前記リモコンの前記タッチセンサにより前記触れていることを検知した二以上の操作ボタンのうちのいずれか一以上の操作ボタンに触れなくなったことを検知した情報の送信を前記リモコンから受けた場合、当該触れなくなったことを検知したすべての操作ボタンに対応する前記開始していた裏バッファでの描画をキャンセルする制御を行うことを特徴とする。
【発明の効果】
【００１０】
本発明によれば、グラフィック描画システムにおいて、操作ボタンの操作からグラフィック描画までのユーザーが体感する時間を短くすることができる。
【発明を実施するための最良の形態】
【００１１】
本発明によるグラフィック描画システムの実施形態の一例を図１乃至図１０に基づいて説明する。説明には、グラフィック描画機能を持ち、制御のためのリモコンを利用する一般的な機器としてデジタルテレビを例に取る。デジタルテレビでは、グラフィック描画を主に映像上にメニューや電子番組表（以下、ＥＰＧ）などのイメージを表示する（オンスクリーンディスプレイ、以下、ＯＳＤ）ことに利用することが一般的であり、本説明もそうしたシステム構成を前提として進めていく。
【００１２】
図１は、本発明の一実施形態に係るデジタルテレビとタッチセンサ付きリモコンの構成例である。図中、１はリモコン、２はデジタルテレビ、３１、３２はそれぞれ、リモコンのボタン部、発光部、１３，１４，２０はそれぞれ、デジタルテレビの受光部、操作部、表示部を示す。これらの例はデジタルテレビとリモコンとして一般的なものを示すことを意図しているが、各メーカーや製品により構成に多少の違いが出てくることは当然想定される。
【００１３】
図２は、本発明の一実施形態に係るタッチセンサ付きリモコン２の機能ブロック図である。リモコンとその仕組みは一般的なものであるためここでは詳述せず、本発明に特徴的な部分のみを抜き出したものとなっている。図中、３０はリモコンボタン概略図であり、３１はボタン部（ここでは、その内の一つを拡大）、３２は発光部、３３はリモコン制御部、３４はタッチセンサ、３５は押し下げ検知部を示す。デジタルテレビ２には、タッチセンサ３４と押し下げ検知部３５を利用してリモコン制御部３３で検知されたボタン情報が、発光部３２を通して送信される。実際には、リモコン１にはリモコンボタン概略図３０で示されるボタンが必要な機能の数に応じてボタン部３１として複数搭載されることとなる。
【００１４】
図３は、本発明の一実施形態に係るデジタルテレビ２の機能ブロック図である。図中、１０は制御部、１１は裏バッファ、１２はグラフィック用フレームバッファ、１３は受光部、１４は操作部、１５は記憶部、１６はデコード部、１７はチューナー部、１８は映像用フレームバッファ、１９は合成部、２０は表示部を示し、各部はデータバスにより接続されている。チューナー部１７で受信した信号は、デコード部１６でデコードされ、映像用フレームバッファ１８に転送される。受光部１３で受信したリモコン１からのボタン情報や操作部１４からの情報は、制御部１０で処理され、必要に応じて裏バッファ１１とグラフィック用フレームバッファ１２を利用し、グラフィックと映像を合成部１９で合成し、グラフィックをＯＳＤとして表示部２０で表示する。映像及びグラフィックのデータの流れは太線の矢印で示されている。尚、本図は、本発明の説明に特化するため映像関連の一般的な機能のみを抜き出したものとなっており、音声などの機能ブロックは省略されている。
【００１５】
図４及び図５は、本発明が適用されるグラフィック描画システムにおけるグラフィック用フレームバッファ１２と裏バッファ１１の使用例であり、裏バッファ使用例４０とグラフィック用フレームバッファ使用例４１、４２が示されている。この図ではグラフィック用フレームバッファ１２と裏バッファ１１の対応を分かりやすくするため、位置やサイズを合わせているが、実際にはそうした対応をすることは必須ではなく、システムの構成に従って裏バッファ１１のサイズや利用法は自由に選択可能である。
【００１６】
本発明が適用されるグラフィック描画システムが実際の製品として構築される場合には、制御部１０のＣＰＵによりコントロールされるコンピュータシステムの形態を取ることとなり、フレームバッファ１２及び裏バッファ１１は具体的にはＣＰＵからアクセスされるコンピュータのメモリ領域となる。そのため、本発明が適用されるグラフィック描画システムの説明において「描画」と表現される処理は、具体的には制御部１０により、そのメモリ領域であるフレームバッファ１２及び裏バッファ１１に対して特定のパターンを持った数値データを書き込むことを意味する。一般的なコンピュータの処理としてはパターンを演算しながら処理を行う「描画」よりも単純にメモリ間でデータの転送を行う方が処理速度的には速くなる。また、最近の傾向としては別途グラフィック描画専用の制御部を持つシステムも考えられるが、アクセス形態に多少の違いはあれ、フレームバッファ１２及び裏バッファ１１がコンピュータ上のメモリ領域であることには変わりない。
【実施例１】
【００１７】
図６は、本発明が適用されるグラフィック描画システムにおける実施例１の一連の処理の推移を示したフロー図である。本発明が適用されるグラフィック描画システムの実施例１の動作を図６のフロー図に沿って説明する。デジタルテレビ２で表示する画面としてはＯＳＤを利用したＥＰＧを表示している状態を例に取る。具体的には図４のグラフィック用フレームバッファ１２、グラフィック用フレームバッファ使用例４１の例で示される、左上には映像の小画面透過表示が、右側には５００チャンネルの番組表が、右下には現在選択している番組の情報が表示された状態からの動作とする。
【００１８】
この状態から、まず、ユーザーがＥＰＧの表示を次のチャンネルに切り替えようとリモコン１の複数存在するボタン部３１に触れる（ステップＳ１０１）。触れたボタンは、ここでは右矢印「→」ボタンとする。この時点で、リモコン１は、タッチセンサ３４によりユーザーがそのボタンに触れたことを検知し、そのボタンの情報をデジタルテレビ２に送信する（ステップＳ１０２）。デジタルテレビ２は、そのボタン情報を受信し（ステップＳ１０３）、裏バッファ１１上でそのボタンが押された時に表示しなければならないグラフィックの描画を開始する（ステップＳ１０４）。
【００１９】
上記のグラフィック用フレームバッファ１２及び裏バッファ１１に対して、ＥＰＧの描画を行う際に制御部１０は、事前に放送波などから事前に取得し、記憶部１５に保持している番組データを参照し、描画するパターンを演算することとなるが、その取得や保持、描画データへの展開といった具体的な実装については、一般的な処理であったり、製品やハードウェア構成、また、メーカー毎に異なる処理であったりするため、ここでは詳述しない。
【００２０】
ステップＳ１０４で事前に開始されたグラフィックの描画の内容が裏バッファ使用例４０で示されており、画面の更新はグラフィック用フレームバッファ使用例４１で示される番組表との差分の書き換えのみで済むため、番組表と選択された番組情報のみが事前描画の対象となっている。この例では、ユーザーがリモコン１のボタン部３１の中から「→」ボタンに触れたので、次のチャンネルである５０１チャンネルの内容が裏バッファ使用例４０で示される内容が裏バッファ１１に用意されている。次に、ユーザーが実際にボタンを押した時に（ステップＳ１０５、Ｓ１０６）、リモコン１は、そのボタンが実際に押されたことを押し下げ検知部３５で検知し、デジタルテレビ２にボタン情報を送信する（ステップＳ１０７）。デジタルテレビ２は、そのボタンの信号を受信し（ステップＳ１０８）、時間差を利用して事前に裏バッファで描画していた裏バッファ利用例４０で示される内容をグラフィック用フレームバッファ１２（表画面）に転送し、ＥＰＧの表示を更新する（ステップＳ１０９）。更新された状態は、グラフィック用フレームバッファ使用例４２で示されるように次のチャンネルである５０１チャンネルのＥＰＧが表示されることとなる。
【００２１】
ユーザーがボタンには触れたものの実際にはそのボタンを押さずに手を離した時には（ステップＳ１０５）、事前に裏バッファで開始していた描画をキャンセルする（ステップＳ１１０）。
【００２２】
以上の実施例１の動作により、本発明によるグラフィック描画システムは、ユーザーがリモコン１のボタンに触れてから、実際にそのボタンを押すまでの時間差を利用して、裏バッファ１１での事前描画を行い、実際にボタンが押された時点でグラフィック用フレームバッファ１２に転送することが可能となる。
【実施例２】
【００２３】
次に、汎用性を高めるため実施例１の処理を更に拡張した実施例２のラフィック描画システムの動作の処理を説明する。図７〜図９は、本発明が適用されるグラフィック描画システムにおける実施例２の各処理の推移を示したフロー図である。このフロー図７〜９は実施例１のフロー図６を実際の利用シーン、ソフトウェアの実装を考慮して更に詳細に分割し、複数のボタンが押された場合にも対応するよう拡張したものである。リモコン１の処理に「Ｒ−」で始まるフローが、デジタルテレビ２の処理に「Ｔ−」で始まるフローがそれぞれ対応している。シーケンシャルに処理を行うのではなく、それぞれのフローの処理が個別に動くことにより、複数ボタンへの対応や効率的な裏バッファ１１の利用を実現する。
【００２４】
図７における、フロー：Ｒ−１は、ユーザーがボタンに触れたかをリモコンが検知する処理となっている。ステップＳ２０１により検知したボタン情報をステップＳ２０２でデジタルテレビ２に送信する。デジタルテレビ２へのボタン情報通知は太線でフロー：Ｔ−１へとつながっている。この処理を繰り返すことでリモコン１は複数のボタンにユーザーが触れた場合にも対応する。
【００２５】
図７における、フロー：Ｔ−１は、リモコン１から送信されたユーザーが触れたボタンの情報をデジタルテレビ２が受信し、裏バッファ１１への事前描画を開始する処理となっている。ステップＳ３０１でボタン情報を受信し、ステップＳ３０２で触れられたボタンに対応する事前描画であることを記憶部１５に登録、ステップＳ３０３で裏バッファへの事前描画を開始する。この処理を繰り返すことでデジタルテレビ２は複数のボタンにユーザーが触れた場合にも対応する。記憶部１５への登録及び管理の状態は図１０で示しているが詳細については後述する。
【００２６】
図８における、フロー：Ｒ−２は、ユーザーが触れたボタンから手を離したことを検知する処理となっている。ステップ４０１により検知したボタンを離した情報をステップＳ４０２でデジタルテレビ２に送信する。デジタルテレビ２へのボタンを離した情報の通知は太線で図８のフロー：Ｔ−２へとつながっている。この処理を繰り返すことでリモコン１は複数のボタンの内、どれかからユーザーがボタンを離した場合にも対応する。
【００２７】
図８における、フロー：Ｔ−２は、リモコン１から送信されたユーザーがボタンを離した情報をデジタルテレビ２が受信し、裏バッファ１１への事前描画をキャンセルする処理となっている。ステップＳ５０１でボタン情報を受信し、ステップＳ５０２でユーザーが離したボタンに対応する事前描画の登録情報が存在するか否かを記憶部１５を検索し判定する。存在した場合にはステップＳ５０３で裏バッファへの事前描画をキャンセルし、記憶部１５内の登録情報を破棄する、存在しなかった場合には、そのまま終了する。この処理を繰り返すことでデジタルテレビ２は複数のボタンからユーザーが手を離した場合にも対応する。
【００２８】
図９における、フロー：Ｒ−３は、ユーザーがボタンを押したことをリモコンが検知する処理となっている。ステップ６０１により検知したボタン情報をステップＳ６０２でデジタルテレビ２に送信する。デジタルテレビ２へのボタン情報通知は太線で図９のフロー：Ｔ−３へとつながっている。
【００２９】
図９における、フロー：Ｔ−３は、リモコン１から送信されたユーザーが実際に押したボタンの情報をデジタルテレビ２が受信し、事前に描画を開始していた裏バッファ１１の内容を裏バッファ１１からグラフィック用フレームバッファ１２へ転送する処理となっている。ステップＳ７０１でボタン情報を受信し、ステップＳ７０２で押されたボタンに対応する事前描画の登録情報が存在するか否かを記憶部１５を検索し判定する、存在した場合にはステップＳ７０３で裏バッファ１１への描画が完了しているかを確認し、完了していない場合には完了するまで待つ。次に、ステップＳ７０４で裏バッファ１１に描画した内容をグラフィック用フレームバッファ１２へ転送する。転送完了後はステップＳ７０５で記憶部１５に登録していた事前描画の登録情報を破棄し、他の事前描画をキャンセルする。ステップＳ７０２でボタンに対応する事前描画の登録情報が存在しないと判定された場合には、新規に描画が必要となるため、ステップＳ７０６で他の裏バッファ１１への描画を中止し、ステップＳ７０７で押されたボタン情報に対応した内容を裏バッファ１１へ描画する。その後の処理は、事前描画の登録が存在した場合と同様に、ステップＳ７０４と７０５によりグラフィック用フレームバッファ１２への転送と登録情報の破棄を実行する。
【００３０】
図７〜図９で示した拡張された処理フローでは、複数のボタンに対しての「触れた・離した」という情報に対応するため、それぞれのボタンの情報に対応した登録情報を記憶部１５に保持して管理する必要がある。図１０は、本発明が適用されるグラフィック描画システムにおける事前描画の管理状態を示す例である。この例では、ユーザーが触れたボタンに対応して裏バッファ１１がどのように利用されているかを、ボタン毎に記憶部１５に登録している。この例では描画領域を矩形での管理とし、裏バッファ１１とグラフィック用フレームバッファ１２内での位置やサイズは座標によって管理している。登録番号１は、ボタン「→」に対する情報で、裏バッファ上の座標「０，０」を起点としてサイズが「横１００，縦２００」の領域を持っており、グラフィック用フレームバッファ１２の座標「０，０」に転送される予定となっている。登録番号２は、ボタン「ＥＮＴＥＲ」に対する情報で、裏バッファ上の座標「３００，２００」を起点としてサイズが「横１０，縦１０」の領域を持っており、グラフィック用フレームバッファ１２の座標「１００，１２０」に転送される予定となっている。登録番号３は、ボタン「↓」に対する情報で、裏バッファ上の座標「４００，３００」を起点としてサイズが「横５００，縦２０」の領域を持っており、グラフィック用フレームバッファ１２の座標「４５０，２５０」に転送される予定となっている。登録番号４〜５は情報が登録されておらず空の状態である。
【００３１】
デジタルテレビ２は、このような登録情報の中から該当するボタンの情報を検索したり、必要な処理が終わればその登録情報を破棄したりといった処理を随時実行することとなる。図１０の例では登録番号の個数が５個までしか表示されていないが、こうした管理手法の実装は任意であり、登録可能数を増やすことや、座標以外の方法での領域の管理、色数やパレットの設定など、登録情報のバリエーションの追加も当然想定される。
【００３２】
以上の動作により、実施例２の本発明によるグラフィック描画システムは、複数のボタンに対応してその汎用性、利便性をより高めることが可能となる。
【００３３】
実施例１及び実施例２のいずれにおいても、本発明のグラフィック描画システムは、ユーザーがリモコンのボタンに触れた時点から、実際にボタンが押されるまでの時間差の分、ユーザーが体感する描画時間を短縮することができる。時間差は、すぐにボタンを押した場合でも数百ｍｓは期待でき、ユーザーがリモコンを手に持ってカーソルボタンに手をかけたままで順次画面をスクロールするような場合には数秒〜数十秒にまで至ることが想定される。こうした時間差は、ユーザーが実際に体感する描画時間の短縮幅としては十分である。
【産業上の利用可能性】
【００３４】
本発明は、裏バッファ機能を持つグラフィック描画システムを搭載した機器に適用可能である。
【図面の簡単な説明】
【００３５】
【図１】本発明の一実施形態に係るデジタルテレビとタッチセンサ付きリモコンの構成例である。
【図２】本発明の一実施形態に係るタッチセンサ付きリモコンの機能ブロック図である。
【図３】本発明の一実施形態に係るデジタルテレビの機能ブロック図である。
【図４】本発明が適用されるグラフィック描画システムにおけるフレームバッファと裏バッファの利用例である。
【図５】本発明が適用されるグラフィック描画システムにおけるフレームバッファの利用例である。
【図６】本発明が適用されるグラフィック描画システムにおける実施例１の一連の処理の推移を示したフロー図である。
【図７】本発明が適用されるグラフィック描画システムにおける実施例２の第１の処理の推移を示したフロー図である。
【図８】本発明が適用されるグラフィック描画システムにおける実施例２の第２の処理の推移を示したフロー図である。
【図９】本発明が適用されるグラフィック描画システムにおける実施例２の第３の処理の推移を示したフロー図である。
【図１０】本発明が適用されるグラフィック描画システムにおける事前描画の管理状態を示す例である。
【符号の説明】
【００３６】
１…  リモコン
２…  デジタルテレビ
１０…  制御部
１１…  裏バッファ
１２…  グラフィック用フレームバッファ
１３…  受光部
１４…  操作部
１５…  記憶部
１６…  デコード部
１７…  チューナー部
１８…  映像用フレームバッファ
１９…  合成部
２０…  表示部
３０…  リモコンボタン概略図
３１…  ボタン部
３２…  発光部
３３…  リモコン制御部
３４…  タッチセンサ
３５…  押し下げ検知部
４０…  裏バッファ使用例
４１…  グラフィック用フレームバッファ使用例１
４２…  グラフィック用フレームバッファ使用例２
【図１】
2008261986.tif 000003
【図２】
2008261986.tif 000004
【図３】
2008261986.tif 000005
【図４】
2008261986.tif 000006
【図５】
2008261986.tif 000007
【図６】
2008261986.tif 000008
【図７】
2008261986.tif 000009
【図８】
2008261986.tif 000010
【図９】
2008261986.tif 000011
【図１０】
2008261986.tif 000012